(57)【要約】【課題】携帯電話機等の電子機器の内部情報を容易に確認可能とする。【解決手段】本発明の電子機器は、画像が表示され、表示された画像に対して消去もしくは上書き処理がなされるまで画像の表示を継続するとともに、画像の表示を継続する電力が不要なケーシング表示パネル８０（電子ペーパー）と、自機に一意に設定された内部情報、所定の情報のそれぞれ格納するメモリ４０と、メモリ４０に所定の情報が格納されているか否かを判定し、格納されていないと判定された場合、内部情報をケーシング表示パネル８０に表示させ、格納されていると判定された場合、ケーシング表示パネル８０に表示されている内部情報を消去する回路基板３０（主制御部３８、ケーシング表示制御部４５）と、により構成される。【選択図】図４
2008211516.tif 000002
【特許請求の範囲】
【請求項１】
画像が表示され、当該表示された画像に対して消去もしくは上書き処理がなされるまで前記画像の表示を継続するとともに、前記画像の表示を継続する電力が不要な表示手段と、
自機に一意に設定された内部情報を格納する内部情報格納手段と、
所定の情報を格納する所定情報格納手段と、
前記所定情報格納手段に前記所定の情報が格納されているか否かを判定し、前記所定情報格納手段に前記所定の情報が格納されていないと判定された場合、前記内部情報格納手段に格納されている前記内部情報を前記表示手段に表示させ、前記所定情報格納手段に前記所定の情報が格納されていると判定された場合、前記表示手段に表示されている前記内部情報を消去する制御手段と、
を備えたことを特徴とする電子機器。
【請求項２】
前記所定の情報が電話番号である
ことを特徴とする請求項１に記載の電子機器。
【請求項３】
画像が表示され、当該表示された画像に対して消去もしくは上書き処理がなされるまで前記画像の表示を継続するとともに、前記画像の表示を継続する電力が不要な表示手段と、
自機について一意に設定された内部情報を格納する内部情報格納手段と、
自機の動作モードの遷移を監視し、所定の保守モードへ遷移した場合、前記表示手段に前記内部情報格納手段に格納されている内部情報を表示させ、
前記表示手段に前記内部情報が表示され、かつ、前記動作モードが前記所定の保守モードから他のモードへ遷移した場合、前記表示手段に表示されている前記内部情報を消去する制御手段と、
を備えたことを特徴とする電子機器。
【請求項４】
前記制御手段は、
前記所定の保守モードとして、内蔵するソフトウェアを更新する処理を実行する
ことを特徴とする請求項３に記載の電子機器。
【発明の詳細な説明】
【技術分野】
【０００１】
本発明は、一旦表示を行うと同内容の表示を継続するための電力を要しない、例えば、電子ペーパー等の表示デバイスを筐体に実装する携帯電話機等の電子機器に関する。
【背景技術】
【０００２】
電子ペーパーは、一度表示を行うとその表示を維持するための電力を必要しない表示デバイスとして最近注目されている。既に、駅構内の広告等で一部電子ペーバーが実用化されている。電子ペーパーは、紙のように柔軟で読みやすく、低価格であることを特徴とする新しい表示デバイスである。
また、情報は随時書き換えが可能なうえ、一度表示すれば電力を必要とすることなく内容が保存される。厚さは、紙に近くおおよそ２００ミクロン〜３００ミクロンと非常に薄く、紙のように柔軟性に富む。
【０００３】
構造は比較的単純であり、２枚のプラスチックの間にコピー機等に使用されている帯電トナーを封じ込め、数ボルト〜数１０ボルト程度の電圧を印加し、その結果、プラスチックの内側面では帯電トナーの吸着／離着が起こり、情報が書き込まれる仕組みになっている。
【０００４】
また、ひとつの画素をＲＧＢに３分割し、あるいはＣＭＹの３層を上下に積層することでカラー表示も可能である。このような画像形成技術は、Ｉｎ−Ｐｌａｎｅ型電気泳動方式と称されているが、他にもいくつかの画像形成技術が知られている。
【０００５】
一方、携帯電話機の多様化に伴い、携帯電話機筐体の表面に様々なデザインが施され、ファッションとして認識しているユーザも多い。
【０００６】
このユーザニーズにこたえるため、筐体カバーを複数用意し、これらを交換することで外観デザインを変更する、着せ替えタイプの携帯電話機が出現するようになった（例えば、特許文献１参照）。
【０００７】
更に、使い勝手を良くするため、筐体に上記した電子ペーパーを実装し、ユーザの嗜好に基づく画像を表示することで筐体デザインを変更する等の提案もなされている（例えば、特許文献２参照）。
【特許文献１】特開２００３−１４３２８０号公報
【特許文献２】特開２００５−２１０３２０号公報
【発明の開示】
【発明が解決しようとする課題】
【０００８】
ところで、上記した携帯電話機等の電子機器には、工場内での製造工程や出荷、あるいは製造後の製品保守のために、製造番号やシリアル番号等の管理コードから成る電子機器を一意に識別するための内部情報が印字された、例えばバーコード等を含む管理シールが貼付されている。
この場合、作業者の貼付作業ミスにより、携帯電話機の内部情報とシールに印字された情報とが一致しないという問題が発生しうる。また、店舗内で、携帯電話機の譲渡などを行う場合に、例えば、シールが剥がされていればその携帯電話機の内部情報が必要となり、この場合、携帯電話機をＰＣ等にケーブル経由で接続してシリアル通信により内部情報を読み出す必要があった。
このように、従来の電子機器では、内部情報を確認することが困難な場合があるという問題があった。
【０００９】
本発明は、上記した課題を解決するためになされたものであり、内部情報を容易に確認可能とする電子機器を提供することを目的とする。
【課題を解決するための手段】
【００１０】
上記した課題を解決するために本発明の第１の観点の電子機器は、画像が表示され、当該表示された画像に対して消去もしくは上書き処理がなされるまで前記画像の表示を継続するとともに、前記画像の表示を継続する電力が不要な表示手段と、自機に一意に設定された内部情報を格納する内部情報格納手段と、所定の情報を格納する所定情報格納手段と、前記所定情報格納手段に前記所定の情報が格納されているか否かを判定し、前記所定情報格納手段に前記所定の情報が格納されていないと判定された場合、前記内部情報格納手段に格納されている前記内部情報を前記表示手段に表示させ、前記所定情報格納手段に前記所定の情報が格納されていると判定された場合、前記表示手段に表示されている前記内部情報を消去する制御手段と、を備えたものである。
【００１１】
また、本発明の第１の観点の電子機器において、前記所定の情報が電話番号であるように構成してもよい。
【００１２】
本発明の第２の観点の電子機器は、画像が表示され、当該表示された画像に対して消去もしくは上書き処理がなされるまで前記画像の表示を継続するとともに、前記画像の表示を継続する電力が不要な表示手段と、自機について一意に設定された内部情報を格納する内部情報格納手段と、自機の動作モードの遷移を監視し、所定の保守モードへ遷移した場合、前記表示手段に前記内部情報格納手段に格納されている内部情報を表示させ、前記表示手段に前記内部情報が表示され、かつ、前記動作モードが前記所定の保守モードから他のモードへ遷移した場合、前記表示手段に表示されている前記内部情報を消去する制御手段と、を備えたものである。
【００１３】
また、本発明の第２の観点の電子機器において、前記制御手段は、前記所定の保守モードとして、内蔵するソフトウェアを更新する処理を実行するように構成してもよい。
【発明の効果】
【００１４】
本発明によれば、内部情報を容易に確認可能とする電子機器を提供することができる。
【発明を実施するための最良の形態】
【００１５】
図１は、本発明の実施の形態に係る電子機器としての携帯電話機１の外観を開状態で示す正面図であり、図２は、携帯電話機１の外観を開状態で示す視点が側方寄りの斜視図であり、図３（ａ）は、携帯電話機１の外観を開状態で示す正面図であり、図３（ｂ）は、携帯電話機１の外観を開状態で示す背面図である。
【００１６】
携帯電話機１は、いわゆる折り畳み式の筐体構造になっており、開状態と閉状態との間で互いに回動自在に連結された受話筐体２、および送話筐体３とを備えている。
受話筐体２および送話筐体３は、それぞれの端部が回動の中心となる連結部４により連結されることにより携帯電話機１として全体の筐体を形成する。
受話筐体２および送話筐体３は、それぞれ概ね薄型直方体状に形成されており、閉状態では互いに重ね合わされ、一方の筐体側から他方の筐体側を見たときに互いの輪郭が略一致するようになっている。
【００１７】
また、受話筐体２は、閉状態で送話筐体３に対向する面側の正面側ケース６と、その背面側の背面側ケース７と、背面側ケース７の背面側に取り付けられるパネル８とを備えている。受話筐体２の閉状態で送話筐体３に対向する正面Ｓ１は正面側ケース６により構成され、その反対側の背面Ｓ２は背面側ケース７およびパネル８により構成されている。
正面側ケース６、背面側ケース７およびパネル８は、例えば、非導電性の樹脂によりそれぞれ成形されている。
【００１８】
受話筐体２の正面Ｓ１には、通話用のスピーカ（不図示）の放音孔１２が開口している。受話筐体２には、正面Ｓ１に映像や文字を表示するメイン表示部１３（表示モニタ）と、背面Ｓ２に映像や文字を表示するサブ表示部１４（図３（ａ））とが設けられている。
すなわち、閉状態にて隠れる位置にメイン表示部１３が、閉状態にしても隠れない位置にサブ表示部１４がそれぞれ設けられている。メイン表示部１３、およびサブ表示部１４は、例えば、ＬＣＤ表示装置や、有機ＥＬ（Electro-Luminescence）表示装置などの表示デバイスにより構成される。
【００１９】
なお、パネル８は透光性を有しており、サブ表示部１４の保護カバーを兼ねている。さらに、パネル８の内側には背面Ｓ２側を撮影方向とするカメラ２０が配されている。
【００２０】
送話筐体３は、閉状態で受話筐体２に対向する面側の正面側ケース９と、その背面側の背面側ケース１０と、背面側ケース１０の背面側に被せられる蓋体１１とを備えている。送話筐体３の閉状態で受話筐体２に対向する正面Ｓ３は正面側ケース９により構成され、その反対側の背面Ｓ４は背面側ケース１０および蓋体１１により構成されている。
正面側ケース９、背面側ケース１０および蓋体１１は、たとえば非導電性の樹脂によりそれぞれ成形されている。
【００２１】
図３（ｂ）に示されるように、送話筐体３の背面の蓋体１１表面には、電子ペーパー（以降では便宜上、ケーシング表示パネル８０という）が実装されている。電子ペーパーは上記したように一度表示を行うとその表示を維持するための電力を必要しない表示デバイスであり、ここでは、必要に応じて、製造番号やシリアル番号等の管理コードからなる内部情報が表示されるものとする。
【００２２】
ケーシング表示パネル８０は、画像が表示され、当該表示された画像に対して消去もしくは上書き処理がなされるまで画像の表示を継続するとともに、画像の表示を継続する電力が不要な表示手段、として用いられる。
【００２３】
一方、送話筐体３の正面Ｓ３には通話用のマイクロフォン（不図示）の集音孔１６が開口し、背面Ｓ４では報知用スピーカ（不図示）に放音孔１７が外側へ向けて閉口している。送話筐体３には、正面Ｓ３に露出する各種キーを含む操作部１８が設けられている。
各種キーは、たとえばダイヤルキー１８ａ、カーソルキー１８ｂ、ファンクションキー１８ｃ、決定キー１８ｄである。また、送話筐体３には、背面Ｓ２側を撮影方向とするカメラ２０、背面Ｓ４側を送受信方向とする赤外線信用の赤外線通信部２１が設けられている。
【００２４】
連結部４は、受話筐体２の端部に切り欠き部２７が、送話筐体３の端部に突出部２８が形成され、切り吹き部２７に突出部２８が嵌合されて互いに回動自在に軸支され、構成されている。
【００２５】
切り欠き部２７および突出部２８は、例えば、回転軸方向（図１の紙面左右方向）の幅が受話筐体２および送話筐体３の幅の半分程度の大きさに形成され、受話筐体２および送話補筐体３の幅方向の中央に形成されている。突出部２８は、送話筐体３の正面Ｓ３から、閉状態において受話筐体２と対向する方向へ、受話筐体２の厚みと同程度の高さで突出している。
【００２６】
図４は、本発明の実施の形態にかかわる電子機器の信号処理系の構成の一例を示すブロック図である。ここでも電子機器として携帯電話機１が例示されている。
【００２７】
携帯端末装置１は、図４に示されるように、第１の筐体としての受話筐体２と、第２の筐体としての送話筐体３とから成り、受話筐体２と送話筐体３とは、上記したように機械的には連結部４（ヒンジ機構）を介して接続され、電気的には第１のケーブルとしてのメインケーブル４３と、第２のケーブルとしてのカメラケーブル４４とにより接続される。
これらメインケーブル４３、およびカメラケーブル４４は、ともに細線同軸ケーブルにより構成され、ともに切り欠き部２７から突出部２８内へ挿通するヒンジ軸受け内を通って送話筐体内と受話筐体内とを連結している。
【００２８】
細線同軸ケーブルは、同軸ケーブルの中でも比較的径が小さいものであり、たとえば、直径１ｍｍ以下である。最近では、直径０．３ｍｍ以下のものも知られ、ＦＰＣに比べて耐ノイズ性が高く、配線性および屈曲性に優れている。
【００２９】
受話筐体２には、第１の表示部としてのメイン表示部１３と、第２の表示部としてのサブ表示部１４と、カメラ２０と、スピーカ５０とが実装される。また、メイン表示部１３と、サブ表示部１４は、表示デバイスとしてＬＣＤが実装される。
【００３０】
一方、送話筐体３は、回路基板３０と、ＴＶアンテナ３１と、送受信アンテナ３５と、マイク４２と、電池パック６０と、ケーシング表示パネル８０とにより構成される。
回路基板３０上には、ＴＶチューナ３２と、映像復号部３３と、画像表示制御部３４と、通信処理部３６と、音声処理部３７と、主制御部３８と、キー入力処理部３９と、メモリ４０と、スイッチ回路４１と、ケーシングパネル表示制御部４５とが実装される。
【００３１】
主制御部３８は、例えば、ＣＰＵ（不図示）により構成され、ＣＰＵがメモリ４０に記録されたプログラムを逐次読み出し実行することにより、ＴＶチューナ３２、映像復号部３３、画像表示制御部３４、通信処理部３６、音声処理部３７、キー入力処理部３９、ケーシングパネル表示制御部４５等の各種周辺ＬＳＩを制御する。
主制御部３８は、受話筐体２と送話筐体３が開状態にあるときは画像表示制御部３４による画像表示をメイン表示部１３にて行わせ、閉状態を検出すると、テレビ放送の録画中を除き、画像表示制御部３４による画像の表示をメイン表示部１３からサブ表示部１４へ切り替える。
【００３２】
また、主制御部３８は、後述するように、メモリ４０に、例えば、電話番号が格納されているか否かを判定し、格納されていないと判定された場合、同じくメモリ４０の所定の領域に格納されている製造番号やシリアル番号等内部情報を、ケーシングパネル表示制御部４５によってケーシング表示パネル８０に表示させ、一方、格納されていると判定された場合、ケーシングパネル表示制御部４５によってケーシング表示パネル８０に表示されている内部情報を消去する。
すなわち、主制御部３８とケーシングパネル表示制御部４５とが協働することにより、「前記所定情報格納手段に前記所定の情報が格納されているか否かを判定し、前記所定情報格納手段に前記所定の情報が格納されていないと判定された場合、前記内部情報格納手段に格納されている前記内部情報を前記表示手段に表示させ、前記所定情報格納手段に前記所定の情報が格納されていると判定された場合、前記表示手段に表示されている前記内部情報を消去する制御手段」として機能する。
【００３３】
主制御部３８は、更に、携帯電話機１の動作モードを監視し、例えば、ケーブルが接続され、コマンドが入力されたことにより保守モードへ遷移したことを、シリアル通信部４６を介し検出したことを契機に、メモリ４０の所定の領域に格納されている製造番号やシリアル番号等の内部情報をケーシングパネル表示制御部４５によりケーシング表示パネル８０に表示させ、また、ケーシングパネル表示制御部４５により動作モードが保守モードから他のモードへ遷移したことを検知した場合に、ケーシング表示パネル８０に表示された内部情報を消去する。
すなわち、主制御部３８と、ケーシングパネル表示制御部４５と、シリアル通信部４６とが協働することにより、「自機の動作モードの遷移を監視し、所定の保守モードへ遷移した場合、前記表示手段に前記内部情報格納手段に格納されている内部情報を表示させ、前記表示手段に前記内部情報が表示され、かつ、前記動作モードが前記所定の保守モードから他のモードへ遷移した場合、前記表示手段に表示されている前記内部情報を消去する制御手段」として機能する。
【００３４】
ＴＶチューナ３２は、ＴＶアンテナ３１を介して受信される、たとえば、地上波デジタル放送波を中間周波数信号に変換して復調し、さらに、復調して得られる信号を、映像信号成分と音声信号成分に分離し、映像復号部３３、音声処理部３７のそれぞれに供給する。音声処理部３７は、入力される音声信号成分から音声信号を生成し、メインケーブル４３経由で受話筐体２のスピーカ５０へ出力する。
【００３５】
また、映像復号部３３は、入力される映像信号成分を復号化し、共通バス１００を介して画像表示制御部３４へ出力する。画像表示制御部３４は、映像復号部３３により出力される復号信号を所定のフォーマットにしたがう画像データに変換し、メインケーブル４３を経由して受話筐体２のメイン表示部１３に出力する。
【００３６】
また、画像表示制御部３４は、カメラ２０により撮影され生成される撮像データをカメラケーブル４４、共通バス１００経由で取得し、所定のフォーマットに従う画像データに変換し、メインケーブル４３経由で受話筐体２のメイン表示部１３もしくはサブ表示部１４へ出力する。
【００３７】
一方、通信処理部３６は高周波回路を含み、電波を用いた無線通信を行うために、マイク４２を介して入力され音声処理部３７で処理された音声データを変調して送受信アンテナ３５を介し送信する。通信処理部３６はまた、送受信アンテナ３５を介して受信した信号を復調して音声処理部３７経由で受話筐体２のスピーカ５０に出力する。
【００３８】
キー入力処理部３９は、操作部１８に配置された各種キーからその入力情報を取得し、主制御部３８へ引き渡す。なお、配置される各種キーの中にはＴＶ放送の録画を指示する録画キーも含まれる。また各種キーの中にはメインケーブル４３経由で受話筐体２側にも配されていてもよい。さらに側面に配されるサイドキーも含まれる。
【００３９】
メモリ４０には、主制御部３８が実行するプログラムや、当該プログラムが参照するテーブル、あるいは作業領域として使用するデータ（表示データも含む）のそれぞれが格納される記憶領域が割り付けられている。ここではまた、自機を一意に識別するための内部情報が格納される内部情報格納手段として、更に、電話番号等、所定の情報を格納する所定情報格納手段としても機能する。
メモリ４０は、具体的には、不揮発性の記憶デバイス（不揮発性半導体メモリ、ハードディスク装置、光ディスク装置など）やランダムアクセス可能な記憶デバイス（例えばＳＲＡＭ、ＤＲＡＭ）などによって構成されるものとする。
【００４０】
ケーシング表示制御部４５は、送話筐体３背面の蓋体１１に実装されたケーシング表示パネル８０に表示される表示画面の表示制御を行う。ケーシング表示制御部４５は、主制御部３８から送られてくる表示制御命令に従い、メモリ４０に格納されている表示データ（例えば、内部情報）に基づいてケーシング表示パネル８０へ画像表示する。
【００４１】
また、シリアル通信部４６は、店舗等における保守時、不図示のケーブルを介して接続される、例えばＰＣと、内蔵する主制御部３８との間のデータ交換のためのインタフェースを担うものである。例えば、ＰＣ等により生成されるコマンドを取り込んで主制御部３８へ供給するためにシリアルパラレル変換を行ない、また、主制御部３８により生成されるデータをＰＣに転送するためにパラレルシリアル変換を行なう機能を持つ。
【００４２】
図５は、本発明の実施の形態にかかわる電子機器にて使用されるケーシング表示パネル８０の断面構造を示す図であり、図５の（ａ）は白黒のケーシング表示パネル、図５の（ｂ）はカラーのケーシング表示パネルの断面構造を示す図である。
【００４３】
ケーシング表示パネル８０は、いわゆる電子ペーパーと呼ばれるもので構成され、ここでは、図３（ｂ）に示す送話筐体３背面の蓋体１１上に貼り付けられているものとする。白黒のケーシング表示パネル８０は、図５の（ａ）に示されるように、透明下基材層８０１、画像記録層８０２、透明上基材層８０３、保護層８０４の４層構造になっている。
【００４４】
透明下基材層８０１の上部、すなわち携帯電話機１の蓋体外側には、下格子電極が設けられており、透明上基材層８０３の下部、すなわち携帯電話機１の蓋体内部側には、上格子電極が設けられている。上記した下格子電極は、携帯電話機１の横方向に平行に延びる多数の電線で構成されており、各電線の端部は、ケーシングパネル表示制御部４５に接続された信号端子に接続されている。
また、上格子電極は、携帯電話機１の縦方向に平行に延びる多数の電線で構成されており、各電線の端部も同様にケーシングパネル表示制御部４５に接続された各信号端子に接続されている。このように、下格子電極および上格子電極は、ケーシング表示パネル８０の全ての表示領域にわたり、その電極が延びる方向が互いに直交するように配置されている。
【００４５】
そして、ケーシングパネル表示制御部４５から適切なＯＮ／ＯＦＦタイミングの電気信号を入力することで、表示領域の任意の領域における下格子電極の電線と上格子電極の電線との間の電位差を制御することができる。
画像記録層８０２としては、下格子電極と上格子電極との間に印加される電位差によってその領域の可視状態を制御することが可能であって、ケーシングパネル表示制御部４５から電気信号の入力がなくなっても、その可視状態が維持されるものを利用することができる。例えば、透明なマイクロカプセル内に多数の白色粒子及び黒色粒子を封入し、これを下格子電極の電線と上格子電極の電線とが互いに交差する全ての画素点に配置したものを、画像記録層８０２として用いることができる。この場合、各マイクロカプセル内の白色粒子と黒色粒子は互いに逆極性に帯電している。
【００４６】
ここでは、白色粒子として負極性帯電物質を用い、黒色粒子として正極性帯物質を用いる。したがって、ケーシングパネル表示制御部４５から電気信号を入力して、ある画素点における下格子電極の電位を負極性とし、上格子電極の電位を正極性とした場合、その画素点のマイクロカプセル内では黒色粒子が下格子電極側へ電気泳動し、白色粒子が上格子電極側へ電気泳動する。
その結果、この画素点を携帯電話機１の外部から見たとき、その画素点は白色に見える。逆に、下格子電極の電位を正極性とし、上格子電極の電位を負極性とした場合の画素点は、黒色に見える。
【００４７】
上記した表示制御を全ての表示領域に渡って行うことで所望のモノクロ画像を表示させることができる。また、各マイクロカプセル内の黒色粒子と白色粒子の配置は、ケーシングパネル表示制御部４５からの電気信号入力がなくなっても維持される。したがって、ケーシング表示パネル８０は、一旦表示した画像については無給電状態であってもそのままの画像表示を維持することができる。また、ケーシングパネル表示制御部４５から入力される電気信号に応じて、多階調のモノクロ画像は勿論のこと、ブリンク、点滅等の強調表示を行なうこともできる。
【００４８】
また、カラー画像を表示させることも可能である。すなわち、図５の（ｂ）に示されるように、透明上基材層８０３と保護層８０４との間にカラーフィルタ層８０５を設ければよい。このカラーフィルタ層８０５として、Ｒ、Ｇ、Ｂの３色のフィルタを用いた場合、下格子電極の電線と上格子電極の電線とが互いに交差する領域のうち、互いに隣接する３つの領域を１つの画素として取り扱う。そして、この３つの領域にそれぞれＲ、Ｇ、Ｂのフィルタ部分が対向するように、カラーフィルタ層を設ける。これにより、例えば、画素を赤色とする場合には、Ｒフィルタ部分に対向するマイクロカプセルについては白色粒子が上格子電極側へ電気泳動し、Ｇフィルタ部分およびＢフィルタ部分に対向するマイクロカプセルについては黒色粒子が上格子電極側へ電気泳動するような電気信号を入力すればよい。このように、本発明の電子機器は、その用途に応じて、白黒（図５の（ａ））若しくはカラー（図５の（ｂ））、又は、これらを組み合わせたケーシング表示パネルを用いることができる。なお、本実施形態の携帯電話機１には、白黒のケーシング表示パネル８０を用いるものとする。
【００４９】
図６、図７は、本発明の実施の形態に係る電子機器の動作を示すフローチャートであり、いずれもケーシング表示パネル８０（電子ペーパー）の表示制御にかかわる部分のみを抽出して示してある。図６は電話番号操作による内部情報表示例、図７は保守モードにおける内部情報表示例を示す。
【００５０】
図６のフローチャートにおいて、主制御部３８は、常時、電話番号操作イベント（割り込み）を監視している。以下では、一例として、主制御部３８は、キー入力処理部３９を介して取得される電話番号操作イベント（割り込み）を監視するものとする。しかし、本発明では、電話番号操作イベントには、キー入力によりなされる場合に限定されるものではなく、他にも、携帯電話機１に接続されたシリアルケーブルを介して入力される電話番号書き／消しイベントなどの電話番号操作イベントや、無線通信で行われる電話番号書き／消しイベントなどの電話番号操作イベントを含めることができる。具体的には、ユーザのキー操作による携帯電話機１の起動監視を行っている。ここで、ユーザがキー操作を行なうことにより電話番号操作イベントが発生すると（ステップＳ６０１）、主制御部３８は、キー入力処理部３９を介して転送されるデータに基づき電話番号状態を確認する（ステップＳ６０２）。
主制御部３８は、キー入力操作後、電話番号がメモリ４０に記録されていないと確認されれば（Ｓ６０２“なし”）、ケーシングパネル表示制御部４５を起動してケーシング表示パネル８０に製造番号やシリアル番号等の内部情報を表示し（ステップＳ６０３）、電話番号がメモリ４０に記録されていると確認されれば（ステップＳ６０２“あり”）、ケーシング表示パネル８０に表示された内部情報を消去する（ステップＳ６０４）。
【００５１】
すなわち、携帯電話機１の電話番号の記録の有無によりケーシング表示パネル８０（電子ペーパー）への内部情報の表示、非表示を切り替え制御することができ、電子ペーパーは、一度表示を行うと消去もしくは表示内容を更新しない限りその表示内容を電力供給無しに表示するため、内部情報が印刷された管理用シールの代用が可能になる。したがって、内部情報が印刷されたシールの貼付作業ミスを防ぐことができる。
【００５２】
一方、図７のフローチャートにおいて、主制御部３８は、常時、シリアル通信部４６からの割り込みを監視している。例えば、店舗に持ち込まれた携帯電話機１のシリアルポートにケーブルによりＰＣが接続され、ＰＣからコマンドを打ち込むと、当該コマンドは、携帯電話機１のシリアル通信部４６を介して取り込まれ、主制御部３８に供給される。
主制御部３８は、外部からのコマンドを受信することにより保守モードイベントが発生したと認識し（ステップＳ７０１）、その状態確認を行なう（ステップＳ７０２）。すなわち、保守モードに遷移した場合（ステップＳ７０２“保守モードＯＮ”）、主制御部３８は、メモリ４０の所定の領域から製造番号やシリアル番号等の内部情報を読み出し、ケーシングパネル表示制御部４５へ転送する。ケーシングパネル表示制御部４５は、その内部情報をケーシング表示パネル８０へ表示する（ステップＳ７０３）。なお、保守モードは、携帯電話機１が内蔵するソフトウェアを更新する処理を含むとして良い。
【００５３】
また、シリアルポートからケーブルが切り離され、ＰＣとの接続が切断された場合、主制御部３８は、保守モードから他のモード（通常動作モード）に遷移したと認識し（ステップＳ７０２“保守モードＯＦＦ”）、ケーシングパネル表示制御部４５によりケーシング表示パネル８０に表示された内部情報を消去する（ステップＳ７０４）。
すなわち、主制御部３８は、保守モードへ遷移したか否かを監視することにより、ケーシング表示パネル８０（電子ペーパー）への内部情報の表示、非表示を切り替え制御することができ、このため、ケーシング表示パネル８０の表示を確認するだけで内部情報を確認できるため、店舗等において内部情報を読み出す手間を省略することができる。
【００５４】
なお、上記した実施の形態によれば、保守モードへの遷移を、ケーブルが接続されたことにより、ＰＣからコマンドが入力されたことにより検知するとしたが、他に、特定キー入力を検知した場合等、種々考えられる。
また、ケーシング表示パネル８０の実装場所は、上記した実施の形態では送話筐体３の背面としたが、実装箇所については特に制限されるものでなく、実装可能な場所であれば全てにおいて適用が可能である。また、仮に、内部情報表示の目的でのみ利用する場合は、携帯電話機１の筐体と同色の背景色で表示する電子ペーパー自体を目立たなくする配慮も必要である。
【００５５】
上記したように、電子ペーパーは、一旦表示が行われると、消去もしくは表示内容の更新を行なわない限り、一旦表示された内容が継続して表示されるため、必要な期間、内部情報を継続的に表示でき、容易に内部情報を確認可能となる。また、その間、電力が不要となるため省電力化も実現できる。したがって、従来のように管理シールの貼付が不要となり管理シールの貼付作業ミスを防ぐことができ、内部情報を読取るための操作が不要となると共に、電子機器としての外観の美観を損なうことがない。なお、内部情報表示を行わない場合、電子ペーパーは、メイン表示部１３、サブ表示部１４同様、通常の表示デバイスとしても使用できるため、使い勝手が向上する。
【００５６】
なお、上記した本発明の実施の形態によれば、主制御部３８がメモリ４０から読み出した内部情報をケーシングパネル表示制御部４５に対して転送し、ケーシングパネル表示制御部４５がケーシング表示パネル８０を駆動して内部情報を表示する構成としたが、不図示のバスを介して主制御部３８とケーシングパネル表示制御部４５とが共通に接続される構成とすることで、主制御部３８はケーシングパネル表示制御部４５に対して表示制御命令を発行するだけとし、以降は、ケーシングパネル表示制御部４５がメモリ４０から内部情報を読み出してケーシング表示パネル８０に転送し、ケーシング表示パネル８０を駆動制御してもよい。この場合、主制御部３８は、表示データの転送処理から解放されるためスループットの向上がはかれる。
【００５７】
また、上記した本発明の実施の形態では、回路基板３０の中にケーシングパネル表示制御部４５を含むものとして説明したが、ケーシング表示パネル８０が表示メモリと表示ドライバとを内蔵する場合、ケーシングパネル表示制御部４５は不要となり、主制御部３８がケーシング表示パネル８０を直接制御することができる。
【００５８】
なお、上記した本発明の実施の形態によれば、画像が表示され、当該表示された画像に対して消去もしくは上書き処理がなされるまで画像の表示を継続するとともに、画像の表示を継続する電力が不要な表示手段として電子ペーパーを例示したが、電子ペーパーに限らず、電子ペーパーのように内容書き換えが可能で、表示を維持するのに電力を不要とするデバイスであれば代替が可能である。
【００５９】
また、電子機器として携帯電話機１のみ例示したが、携帯電話機１に限らず、ＰＤＡ（Personal Digital Assistants）、やゲーム機等にも同様に適用が可能である。また、本発明の電子機器が持つ各構成ブロックの機能は、全てをハードウェアによって実現しても、あるいはその少なくとも一部をソフトウェアで実現してもよい。例えば、主制御部３８における処理や、映像復号部３６、音声処理部３７におけるデータ処理は、１または複数のプログラムによりコンピュータ上で実現してもよく、また、その少なくとも一部をハードウェアで実現してもよい。
【図面の簡単な説明】
【００６０】
【図１】本発明の実施の形態に係る電子機器の外観を開状態で示した正面図である。
【図２】本発明の実施の形態にかかわる電子機器の外観を開状態で示す視点が側方寄りの斜視図である。
【図３】本発明の実施の形態にかかわる電子機器の外観を閉状態で示す正面図および背面図である。
【図４】本発明の実施の形態にかかわる電子機器の信号処理系の構成の一例を示すブロック図である。
【図５】本発明の実施の形態にかかわる電子機器で使用されるケーシング表示パネルの断面構造を示す図である。
【図６】本発明の実施の形態に係る電子機器の電話番号操作時における内部情報表示動作を示すフローチャートである。
【図７】本発明の実施の形態に係る電子機器の保守モード時における内部情報表示動作を示すフローチャートである。
【符号の説明】
【００６１】
１…携帯電話機、２…受話筐体、３…送話筐体、３８…主制御部、４５…ケーシングパネル表示制御部、４６…シリアル通信部、８０…ケーシング表示パネル（電子ペーパー）。
【図１】
2008211516.tif 000003
【図２】
2008211516.tif 000004
【図３】
2008211516.tif 000005
【図４】
2008211516.tif 000006
【図５】
2008211516.tif 000007
【図６】
2008211516.tif 000008
【図７】
2008211516.tif 000009